(57)【要約】【課題】第１のブラシの埃による目詰まりを防止して、第１のブラシの埃の掻き取り性能を維持することができる空気調和機のフィルタ装置を提供する。【解決手段】エアフィルタ１の上流側表面に沿って左右に移動可能に設けられると共にエアフィルタ１と対向する面に開口部１１を有する吸引ノズル３と、吸引ノズル３に連通する吸引装置（図示せず）を有し、吸引ノズル３は、開口部１１を覆うと共に吸引ノズル３の長手方向に対して移動可能なベルト１２を有し、ベルト１２は、開口部１１に連通すると共にエアフィルタ１に付着した埃を吸引するための吸引口１３と、吸引口１３の横に沿って配置されエアフィルタ１に付着した埃を掻き取る第１のブラシ１０を備え、第１のブラシ１０に付着した埃を取り除く第２のブラシ１４を設けたもので、第１のブラシ１０が、埃によって目詰まりすることが無く、埃の除去性能が低下することを防ぐことができる。【選択図】図４
2009281598.tif 000002
【特許請求の範囲】
【請求項１】
エアフィルタと、前記エアフィルタの上流側表面に沿って左右に移動可能に設けられると共に前記エアフィルタと対向する面に開口部を有する吸引ノズルと、前記吸引ノズルに連通する吸引装置を有し、前記吸引ノズルは、前記開口部を覆うと共に前記吸引ノズルの長手方向に対して移動可能なベルトを有し、前記ベルトは、前記開口部に連通すると共に前記エアフィルタに付着した埃を吸引するための吸引口と、前記吸引口の横に沿って配置され前記エアフィルタに付着した埃を掻き取る第１のブラシを備え、前記第１のブラシに付着した埃を取り除く第２のブラシを設けたことを特徴とする空気調和機のフィルタ装置。
【請求項２】
第２のブラシを上下方向に延設すると共にその長さを、少なくともエアフィルタの上下方向の展開長と略同一としたことを特徴とする請求項１に記載の空気調和機のフィルタ装置。
【請求項３】
第２のブラシを、エアフィルタが固定されたフィルタ枠の少なくとも右端または左端に設けたことを特徴とする請求項１または２に記載の空気調和機のフィルタ装置。
【請求項４】
第２のブラシをブラシ状部材で形成し、前記第２のブラシの長手方向の途中に、前記ブラシ状部材のない部分を設けたことを特徴とする請求項１〜３のいずれか１項に記載の空気調和機のフィルタ装置。
【請求項５】
第２のブラシは、マジックテープ（登録商標）の細かいカギ形状からなるフック面側を備えたことを特徴とする請求項１〜４のいずれか１項に記載の空気調和機のフィルタ装置。
【発明の詳細な説明】
【技術分野】
【０００１】
本発明は、エアフィルタの清掃を自動的に行うようにした空気調和機のフィルタ装置に関するものである。
【背景技術】
【０００２】
従来のこの種の空気調和機のフィルタ装置として、熱交換器を通過する空気中に含まれる埃を捕捉するエアフィルタと、前記エアフィルタの上流側表面に沿って左右方向に移動可能に設けられた吸引ノズルと、可撓性に優れたホースを介して前記吸引ノズルに連結された吸引装置とを備え、前記吸引ノズルは、前記エアフィルタと対面する側に配置されると共に前記ホースと連通するスリット状の開口部と、前記開口部を覆うように且つ上下方向に移動可能に設けられたフィルムとを備え、前記フィルムは、前記開口部より小さな開口面積を有すると共に前記開口部に連通する吸引口を有し、その吸引口の横にはブラシが設けられ、吸引装置を駆動しながら吸引ノズルを、例えば右端から左端に移動させることで、前記ブラシで前記エアフィルタに堆積した埃を掻き取りながら、同時に掻き取った埃を前記吸引口を通して吸引して、エアフィルタを清掃するようにしたものがある（例えば、特許文献１参照）。
【特許文献１】特開２００７−１０７８２７号公報
【発明の開示】
【発明が解決しようとする課題】
【０００３】
しかしながら、前記従来の空気調和機のフィルタ装置の構成では、吸引口の横に沿って配置したブラシに、エアフィルタから掻き取った埃が吸引されずに絡みついた場合、ブラシを清掃する手段がないため、次第にブラシが目詰まり状態となり、エアフィルタにからみついた埃を除去するというブラシ本来の役目を果たさなくなるという課題を有していた。
【０００４】
本発明は、前記従来の課題を解決するもので、ブラシの埃による目詰まりを防止して、ブラシの埃の掻き取り性能を維持することができる空気調和機のフィルタ装置を提供することを目的とする。
【課題を解決するための手段】
【０００５】
前記従来の課題を解決するために、本発明の空気調和機のフィルタ装置は、エアフィルタと、前記エアフィルタの上流側表面に沿って左右に移動可能に設けられると共に前記エアフィルタと対向する面に開口部を有する吸引ノズルと、前記吸引ノズルに連通する吸引装置を有し、前記吸引ノズルは、前記開口部を覆うと共に前記吸引ノズルの長手方向に対して移動可能なベルトを有し、前記ベルトは、前記開口部に連通すると共に前記エアフィルタに付着した埃を吸引するための吸引口と、前記吸引口の横に沿って配置され前記エアフィルタに付着した埃を掻き取る第１のブラシを備え、前記第１のブラシに付着した埃を取り除く第２のブラシを設けたもので、第１のブラシに絡みついた埃によって、第１のブラシが目詰まりを起こして、埃の除去性能が低下することを防ぐことができる。
【発明の効果】
【０００６】
本発明の空機調和機のフィルタ装置は、吸引ノズルの吸引口の横に沿って配置した第１のブラシにからみついた埃を第２のブラシで清掃することができるので、第１のブラシの埃目詰まりによる能力低下を抑えることができ、エアフィルタ上に付着した埃の除去性能を長期間維持することができる。
【発明を実施するための最良の形態】
【０００７】
第１の発明は、エアフィルタと、前記エアフィルタの上流側表面に沿って左右に移動可能に設けられると共に前記エアフィルタと対向する面に開口部を有する吸引ノズルと、前記吸引ノズルに連通する吸引装置を有し、前記吸引ノズルは、前記開口部を覆うと共に前記吸引ノズルの長手方向に対して移動可能なベルトを有し、前記ベルトは、前記開口部に連通すると共に前記エアフィルタに付着した埃を吸引するための吸引口と、前記吸引口の横に沿って配置され前記エアフィルタに付着した埃を掻き取る第１のブラシを備え、前記第１のブラシに付着した埃を取り除く第２のブラシを設けたもので、第１のブラシに絡みついた埃によって、第１のブラシが目詰まりを起こして、埃の除去性能が低下することを防ぐことができる。
【０００８】
第２の発明は、特に、第１の発明の第２のブラシを上下方向に延設すると共にその長さを、少なくともエアフィルタの上下方向の展開長と略同一としたもので、吸引ノズルの吸引口の位置移動と共に移動する第１のブラシが吸引ノズル上のどこに位置していても、第２のブラシによって、清掃することができる。
【０００９】
第３の発明は、特に、第１または第２の発明の第２のブラシを、エアフィルタが固定されたフィルタ枠の少なくとも右端または左端に設けたもので、吸引ノズルがエアフィルタ上を移動した際に、第１のブラシが埃で目詰まりしても、吸引ノズルの移動に伴って第１のブラシが、フィルタ枠の第２のブラシを設けた端部に達すると、第１のブラシが第２のブラシで清掃されるので、第１のブラシが目詰まりしたままになることが無い。
【００１０】
第４の発明は、特に、第１〜第３のいずれか一つの発明の第２のブラシをブラシ状部材で形成し、前記第２のブラシの長手方向の途中に、前記ブラシ状部材のない部分を設けたもので、第１のブラシが吸引ノズルの長手方向に移動した時に、第２のブラシと接触する部分と第２のブラシと接触しない部分の境で、埃が弾かれることによって、第１のブラシに絡みついた埃を清掃し易くすることができる。
【００１１】
第５の発明は、特に、第１〜第４のいずれか一つの発明の第２のブラシは、マジックテープ（登録商標）の細かいカギ形状からなるフック面側を備えたもので、第１のブラシに絡みついた埃の除去性能を向上させることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機のフィルタ装置の斜視図、図２は、同空気調和機のフィルタ装置の吸引ノズルの分解斜視図、図３は、同フィルタ装置の斜視図、図４は、同フィルタ装置の清掃時の動作を示す吸引ノズルの断面模式図である。
【００１４】
図１〜３において、本実施の形態における空気調和機のフィルタ装置は、熱交換器（図示せず）を通過する空気の埃を除去するエアフィルタ１と、エアフィルタ１が取り付けられたフィルタ枠２と、エアフィルタ１の表面に沿って左右に移動可能でエアフィルタ１に付着した埃を吸引する吸引ノズル３と、吸引ダクト５を介して吸引ノズル３に連結された吸引装置６を備えている。
【００１５】
吸引ノズル３は、左右駆動装置８とフィルタ枠２の上下端に設置されたガイドレール４により、エアフィルタ１と狭い間隙を保って円滑に左右に移動することができるようになっている。
【００１６】
吸引ダクト５は、吸引ノズル３の移動に差し支えないように折り曲げ可能なダクトで形成されている。さらに、吸引装置６の排気側には、室外へ引き回された排気ダクト７が連結され、エアフィルタ１に付着した埃は、吸引ノズル３により吸引され、吸引ダクト５、吸引装置６、排気ダクト７を経由して室外へ排出される。
【００１７】
図２において、吸引ノズル３のエアフィルタ１に対向する面に、吸引ダクト５と連通すると共にエアフィルタ１の全長に相当する長いスリット状の開口部１１を設け、この開口部１１に沿って移動可能なベルト１２に吸引口１３を設けることで、開口部１１の一部分のみから埃を吸引でき、かつ、ベルト１２を駆動して吸引する場所、すなわち吸引口１３の位置を変えることができるようにしている。
【００１８】
また、ベルト１２は、吸引ノズル本体１０に沿って移動できるように、吸引ノズル本体３ａと一体で形成された（溶着や接着によって一体に形成される）ベルトガイド９によってガイドされており、ベルト１２のガイドを行なうとともに吸引口１３以外の部分で吸引漏れが発生するのを抑制している。
【００１９】
さらに、ベルト１２の表面の吸引口１３の横に沿って、ナイロンやポリエステルなどの材料からなる毛によって構成され、エアフィルタ１に付着した埃を掻き取る第１のブラシ１０が固着されており、ベルト１２の駆動により、吸引口１３とともに第１のブラシ１０の位置も変えられるようになっている。
【００２０】
ベルト１２は、引張り強度と曲げに対する柔軟性を求められるので、材質として、樹脂フィルムを用いるのが好ましい。特に、樹脂フィルムはＰＥＴ（ポリエチレン・テレフタレート）やＰＥＮ（ポリエチレン・ナフタレート）といった樹脂フィルムが強度、柔軟性、耐久性で非常に優れており、その機械的強度からベルト１２を７５〜１００ミクロン位まで薄くできることから、吸引ノズル３自身も薄く構成できて収納性が良なる。従って空気調和機本体の薄型化も可能になりデザイン性の面からも好ましい。
【００２１】
エアフィルタ１の清掃は、図３に示すように吸引ノズル３をエアフィルタ１に沿って左右に駆動するとともに、吸引ノズル３のベルト１２を駆動して、吸引口１３の位置を変えることで、吸引口１３をスイープ動作させてエアフィルタ１の全面を清掃することができる。
【００２２】
１４は、ブラシ状部材からなると共に、第１のブラシ１０に付着した埃を取り除く第２のブラシで、第１のブラシ１０の稼動範囲であるエアフィルタ１の長手方向および吸引ノズル３の長手方向の範囲内で上下方向に延設され、その上下方向の長さは、エアフィルタ１の展開長Ｌと略同一である。本実施の形態では、第２のブラシ１４を、図１、３に示すようにフィルタ枠２の両端及び中央に設けている。
【００２３】
以上のように構成された本実施の形態における空気調和機のフィルタ装置について、以下その動作、作用を説明する。
【００２４】
図４は、本実施の形態における空気調和機のフィルタ装置の清掃時の動作を示す吸引ノズル３の断面模式図で、吸引ノズル３と第２のブラシ１４の状態を断面で示したものである。
【００２５】
図４（ａ）は、吸引ノズル３がエアフィルタ１の表面の清掃を終えて左端の原位置に戻っている状態である。この時点では、第１のブラシ１０にエアフィルタ１の表面から取り除いた埃が若干残っている。
【００２６】
図４（ｂ）は、吸引ノズル３が完全に原位置まで戻った状態である。この直前で、第１のブラシ１０と第２のブラシ１４がお互いに触れ合うことによって、第１のブラシ１０に絡み付いていた埃が第２のブラシ１４へと移行する。
【００２７】
図４（ｃ）は、第２のブラシ１４に絡みついた埃が、吸引ノズル３の吸引口１３から吸い込まれる様子を示している。
【００２８】
以上のように、本実施の形態によれば、第２のブラシ１４を設置することによって、第１のブラシ１０に絡みついた埃は、第２のブラシ１４によって清掃されて、さらにその埃も吸引口１３から吸い込まれるので、第１のブラシ１０も第２のブラシ１４も常に清潔な状態を維持することができ、第１のブラシ１０によるエアフィルタ１の埃除去性能を維持することができる。
【００２９】
尚、上記実施の形態では、第２のブラシ１４を、長手方向にブラシ状部材を連続して設けて形成したが、長手方向の途中にブラシ状部材のない部分を設けるようにすれば、第１のブラシ１０が吸引ノズル３の長手方向に移動した時に、第２のブラシ１４と接触する部分と、第２のブラシ１４と接触しない部分との境で、埃が弾かれるようになり、第１のブラシ１０に絡みついた埃を清掃し易くすることができる。
【００３０】
尚、第２のブラシ１４を形成するブラシ状部材として、マジックテープ（登録商標）の細かいカギ形状からなるフック面側を用いるようにすれば、第１のブラシ１０に絡みついた埃の除去性能を大幅に向上させることができる。
【産業上の利用可能性】
【００３１】
以上のように、本発明の空気調和機のフィルタ装置は、埃に対して高い清掃性能を確保し、また維持することができるため、フィルタ装置のメンテナンスを不用にすることができ、家庭用や業務用の空気調和機や空気清浄機など埃を捕集するエアフィルタを備えた各種装置のフィルタ自動清掃の用途に適用できる。
【図面の簡単な説明】
【００３２】
【図１】本発明の実施の形態１における空気調和機のフィルタ装置の斜視図
【図２】同空気調和機のフィルタ装置の吸引ノズルの分解斜視図
【図３】同フィルタ装置の斜視図
【図４】（ａ）同フィルタ装置の清掃時の動作を示す吸引ノズルの断面模式図（ｂ）フィルタ装置の清掃時の動作を示す吸引ノズルの断面模式図（ｃ）フィルタ装置の清掃時の動作を示す吸引ノズルの断面模式図
【符号の説明】
【００３３】
１  エアフィルタ
２  フィルタ枠
３  吸引ノズル
４  ガイドレール
５  吸引ダクト
６  吸引装置
７  排気ダクト
８  左右駆動装置
１０  第１のブラシ
１１  開口部
１２  ベルト
１３  吸引口
１４  第２のブラシ
【図１】
2009281598.tif 000003
【図２】
2009281598.tif 000004
【図４】
2009281598.tif 000005
【図３】
2009281598.tif 000006